(57)【要約】      （修正有）【課題】文書細断機の紙葉類投入口に手指等の異物が誤って投入されたとき、文書細断機を停止させる安全機構を提供する。【解決手段】紙葉類の投入口１に案内空間路２と案内シャッター部３とを形成し、これに相対するように上面揺動案内部材７と可動シャッター部材８とを装着することにより、開閉自在の投入口１とそれに続く案内空間路２と案内シャッター部３とが形成される。基枠に常開位置係止ストッパ１４と付勢発条１５と開閉検知スイッチ１６とを当該上面揺動案内部材７に配設しておき、当該常開位置係止ストッパ１４により投入口１が常時所定の間隔に開口した状態になすとともに、当該付勢発条１５により投入口１が開成する方向に揺動する際には所定の負荷がかかるようになし、更に、異物が挿入されたり巻き込まれたりして投入口１が規定間隔以上に開成すると、開閉検知スイッチ１６が検知作動して、細断用カッター４の回転を緊急停止するようにした。【選択図】図１
2007229536.tif 000002
【特許請求の範囲】
【請求項１】
紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構であって、
当該紙葉類投入口機構は、基枠に挿入受板部とそれに続く案内受板部とその先に続くシャッター受板部とからなる投入受板体を固設するとともに、これに相対応するように上面揺動案内部材と可動シャッター部材とを装着することにより、開閉自在の投入口とそれに続く案内空間路と案内シャッター部とが形成するようになし、
前記投入口を形成する上面揺動案内部材は、投入口が常開位置より開成する領域でのみ揺動自在に枢着するとともに、基枠に常開位置係止ストッパと付勢発条と開閉検知スイッチとを当該上面揺動案内部材に関わるように配設しておきり、当該常開位置係止ストッパにより投入口が常時所定の間隔に開口した状態になすとともに、当該付勢発条により投入口が開成する方向に揺動する際には所定の負荷がかかるようになし、更に、異物が挿入されたり巻き込まれたりして投入口が規定間隔以上に開成すると、開閉検知スイッチが検知作動して、細断用カッターの回転を緊急停止するようにし、
前記案内空間路と案内シャッター部とを形成する前記可動シャッター部材は、基枠又は上面揺動案内部材に回動自在に装着されており、当該可動シャッター部材の上部では前記案内受板部との間で大きい間隔を有しているが下方にいくにしたがって次第に狭い間隔となる案内空間路が構成されており、当該可動シャッター部材の下端部では自重によりシャッター受板部と近接し常時最小の設定間隔で開口した状態となっており、紙葉類が通過する際その厚さに対応して可動シャッター部材が回動して挟んだ状態で細断用カッター方向へ送り出す案内シャッター部が構成されているようにしたことを特徴とする文書細断機の安全紙葉類投入口機構。
【請求項２】
紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構において、
当該紙葉類投入口機構は、基枠に挿入受板部とそれに続く案内受板部とその先に続くシャッター受板部とからなる投入受板体を固設するとともに、これに相対応するように上面揺動案内部材と可動シャッター部材とを装着することにより、開閉自在の投入口とそれに続く案内空間路と案内シャッター部とが形成するようになし、
前記投入口を形成する上面揺動案内部材は、投入口が常開位置より開成する領域でのみ揺動自在に枢着するとともに、基枠に常開位置係止ストッパと付勢発条と開閉検知スイッチとを当該上面揺動案内部材に関わるように配設してあり、当該常開位置係止ストッパにより投入口が常時所定の間隔に開口した状態になすとともに、当該付勢発条により投入口が開成する方向に揺動する際には所定の負荷がかかるようになし、更に、投入口が規定間隔以上に開成すると開閉検知スイッチが検知作動して、細断用カッターの回転を停止するようにしたことを特徴とする請求項１に記載する文書細断機の安全紙葉類投入口機構。
【請求項３】
紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構において、
当該紙葉類投入口機構は、基枠に略水平の挿入受板部とそれに続く傾斜した案内受板部とその先に続く傾斜を深めたシャッター受板部とからなる投入受板体を固設するとともに、これに相対応するように上面揺動案内部材と可動シャッター部材とを装着することにより、開閉自在の投入口とそれに続く案内空間路と案内シャッター部との移送方向の角度が変わるように形成したことを特徴とする請求項１に記載する文書細断機の安全紙葉類投入口機構。
【請求項４】
紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構において、
当該紙葉類投入口機構は、基枠に略水平の挿入受板部とそれに続く傾斜する案内受板部とその先に続くシャッター受板部とからなる投入口受板体を固設するとともに、これに相対応するように上面揺動案内部材と可動シャッター部材とを装着することにより、開閉自在な投入口とそれに続く案内空間路と案内シャッター部とが形成するようになし、
前記投入口を形成する上面揺動案内部材は、先端部に投入案内斜面を有する略水平の上面案内板部とその基部に形成された揺動脚部と前記上面案内板部に設けられた制御用支杆とから形成されており、投入口受板体の略水平の挿入受板部に略水平の上面案内板部が相対応するよう配設され、当該揺動より脚部の下部に設けた揺動用支点により揺動自在に枢着されており、略水平の挿入受板部と略水平の上面案内板部とで形成される投入口が開閉自在なるように構成されていて、投入口が常開位置より開成する領域でのみ揺動自在に枢着するとともに、基枠に常開位置係止ストッパと付勢発条と開閉検知スイッチとを当該上面揺動案内部材に関わるように配設してあり、当該常開位置係止ストッパに制御用支杆が係止することにより投入口が常時所定の間隔に開口した状態になすとともに、制御用支杆に装着された付勢発条により投入口が開成する方向に揺動する際には所定の負荷がかかるようになし、更に、投入口が規定間隔以上に開成すると制御用支杆が開閉検知スイッチを検知作動させて細断用カッターの回転を緊急停止するようにし、
前記案内空間路と案内シャッター部とを形成する前記可動シャッター部材は、上面揺動案内部材に回動自在に装着されており、当該可動シャッター部材の上部では前記案内受板部との間で大きい間隔を有しているが下方にいくにしたがって次第に狭い間隔となる案内空間路が構成されており、当該可動シャッター部材の下端部では自重によりシャッター受板部と可動シャッター部材とが近接し常時最小設定間隔で開口する状態となるように構成されており、紙葉類が通過する際その厚さに対応して可動シャッター部材が回動して挟んだ状態で細断用カッターの方向に送り出す案内シャッター部が構成されていることを特徴とする文書細断機の安全紙葉類投入口機構。
【発明の詳細な説明】
【技術分野】
【０００１】
本発明は、文書細断機の紙葉類投入口に手指等の異物を誤って挿入したり不用意に巻き込んだとき、投入口が規定間隔以上に開成して細断用カッターの駆動モーターを緊急停止し、侵入異物を容易に除去できるようにするとともに、投入口から回転する細断用カッターにまでの距離を大きくして侵入異物が届かないようにして当該侵入異物を壊わしたり、人損事故を起こさないようにした文書細断機の安全紙葉類投入口機構に関する。
【０００２】
本発明は、種々ある文書細断機の紙葉類投入口に関するトラブルのうち、特に紙葉類投入口における人損事故を防止し、安全性の高い安全紙葉類投入口機構を提供せんとするものである。
【背景技術】
【０００３】
従来より、文書細断機の紙葉類投入口に関するトラブルとして、能力以上の紙葉類が侵入することによる故障や事故、不用意な異物の侵入による故障や事故、侵入した紙葉類や異物が投入口を詰らせる故障や事故、侵入した紙葉類や異物を出来るだけ壊さずに除去するなど種々考えられる。しかし、中でも最も重大なトラブルは、手指の誤挿入や巻き込みによる損傷といった人損事故の発生である。
【０００４】
業界では、このような文書細断機の紙葉類投入口に関するトラブルを予防し、安全で使い易い投入口を実現するため、これまでも様々な工夫や研究がおこなわれてきたが、いまだに人損事故を根絶できておらず、まだ満足できるまでには到っていない。これまでに提案されたり具現化されている紙葉類投入口に関するトラブル防止対策の先行例としては、次のようなものがある。  
【０００５】
【特許文献１】特開２００２−１１３６７号（先行例１）図５に示すように、紙葉類を投入口Ａから投入し、投入口Ａに続く案内路Ｃを経て回転するカッターＢに送り細断する紙葉類細断装置において、案内路Ｃの開口幅を紙葉類の移動方向に応じて切り換える開口幅切り換え手段Ｄを備え、投入口側からカッター側へ紙葉類が通過可能な開口幅である案内路の送り方向開口幅ｄ１が、カッター側から投入口側へ紙葉類が通過可能な開口幅である案内幅の戻り方向開口幅ｄ２より狭く形成されていることを特徴とする紙葉類細断の紙葉類投入口が提案されている。本発明の効果は、使用者の手指等が誤ってカッターへ触れる恐れがなくなり、細断可能な最大枚数或いは厚さを超えて過度に紙葉類がカッターへ供給されることを制限できる、カッターへ供給されて部分的に細断されかけた紙葉類を投入口から安全に、且つ容易に排出することができると記載されている。
【０００６】
しかし、この先行例１は、案内路の送り方向開口幅を小さく設定することにより使用者の手指や異物の不用意な挿入を防止するとしているが、本発明者が２枚の紙葉の間に指を模したテストピースＰを挟んだ状態にして投入口から投入する方法の安全確認実験（図８）をしてみると、テストピースＰの寸法が案内路の開口幅より小さくても簡単に手指が案内路内に挿入してしまうことを確認した。つまり、先行例１の場合には侵入した手指の引き抜きが多少楽になるが、投入方法によっては手指を不用意に侵入させるし、それによって手指を損傷する事故を起こす可能性があることが解った。
【０００７】
【特許文献２】特開２００４−３２１９９３号（先行例２）図６に示すように、回動自在なL字形板状部材で構成される安全シャッター機構Eが、平時は被細断物Fの挿入方向への回動が規制されているが、トラブルが起こった後は、引き抜き方向に自由回動して開口部Gの間隔が開くようにしたことにより、トラブルの原因となる能力以上の被細断文書や異物の侵入の未然防止と安全確保と、トラブルが起こってしまった場合の事後処理の容易性と安全性の確保が両立するようにした文書細断機の被細断文書投入口である。
【０００８】
当該先行例２は、本発明者が以前（２００２年）に開発した文書細断機の紙葉類投入口に関するトラブル対策の発明である。この先行例２場合も、トラブルの原因になる能力以上の被細断文書や異物侵入の未然防止といった安全確保を実現するとともに、トラブルが起こってしまった場合の事後処理の容易性と安全性の確保ができるようにした投入口を具現化したものである。投入口に安全シャッター機構Ｅを設け、挿入方向への回動を制限し、その際の隙間を５ｍｍ又は３ｍｍとして紙葉類だけが通るように設計して、実用化した。その結果、人損事故はほとんどなくなったが、当社のテストピースＰを用いた安全性確認実験（図８に示すように、本発明者が２枚の紙葉の間に指を模したテストピースＰを挟んだ状態にして投入口から投入する方法の安全確認。）を行った。その結果、テストピースＰが安全シャッター機構Eを越えて侵入してしまうこと、侵入の結果テストピースＰが大きく変形してしまうことを確認した。これは、先行例２の場合も、投入方法如何によっては使用者の手指の不用意な侵入を防ぐことはできず、人損事故を無くすことはできないことが解った。
【０００９】
（先行例３）図７は既存の実施例であるが、これは投入口の投入側に細断可能な最大枚数或いは最大厚さを規制するＬ字形の最大開口幅規制体Hを固設するとともに、投入口のカッター供給側には平時閉成しているが、紙葉類の通過時には自重により挟持しながらカッター部の方向に案内するシャッター部Iを配設構成するようにした文書細断機の紙葉類投入口が示されている。当該先行例３は、本発明者が、先行例２を改良した事例であり、投入口の投入側とカッター供給側の２ヶ所で投入された紙葉類をコントロールするものである。なお、固定された最大開口幅規制体Hにより規制される開口幅の最大値は３ｍｍ〜５ｍｍとした。
【００１０】
当該先行例３についても、当社のテストピースＰを用いた安全性確認実験（図８）を行った。その結果、図７に示すように、当該テストピースＰは、寸法が大きくとも簡単に最大開口幅規制体Ｈが規制する間隔を通過して入り込んでしてしまうことがわかった。しかも無理に侵入したテストピースＰは大きく変形してしまっており、しかも当該テストピースＰの先端は、細断カッターの噛み合いから２２ｍも入り込み部細断された状態になっていることなどを確認した。これは、先行例３の場合には投入方法によって使用者の手指の不用意な入り込み事故を防ぐことができないだけでなく、その場合手指を大きく損傷する可能性があることが解った。
【００１１】
以上のように、先行例は、いずれも文書細断機の紙葉類投入口に能力以上の紙葉類が投入できないような規制手段を設けて、これが手指や異物の不用意な侵入を防止するとしているが、当社のテストピースＰを用いた安全性確認実験（図８）の結果では、いずれの場合にも使用者の手指の誤挿入や不用意な巻き込みを防ぐことができず、従って人損事故を完全に防ぐことはできないことが解った。
【発明の開示】
【発明が解決しようとする課題】
【００１２】
近年、個人情報の保護が要請される時代となって、文書裁断機（シュレッダー）が急速に普及するようになり、市場が拡大したが、それにともなって、文書裁断機（シュレッダー）の投入口における人損事故も急増している。特に、人損事故によってＰＬ法が適用されると、メーカーとしては致命的な打撃を受けることになる。そのような事例の多発によって文書裁断機は、今まで以上に使用上に安全性が要求されるようになっている。
【００１３】
しかし、文書細断機の紙葉類投入口に、所定の隙間や開口を設けるのは必要不可欠の構成であり、その使用方法も十人十色でその使用態様は想定される範囲を超えるものであるため、人損事故を完全に無くすことは大変難しい問題である。
【００１４】
本発明者は、当社のテストピースＰを用いた安全性確認実験（図８）の結果として、従来、手指が入らないように、投入口の開口幅を小さく制限する手段を種々設けているが、その場合には狭い開口幅を超えてほとんどの場合手指が侵入してしまう事故が起こるのを避けることができないことを知った。そこで、発明者は、投入口に手指が入り難くするという従来の発想を転換して、投入口に手指が侵入しようとしたら当該投入口の開口幅が逆に広がるように構成し、そのかわり投入口の入口が規定量以上開くと、それを検知して細断用カッターを確実に緊急停止させるようにする。また、侵入した手指などの異物を引き抜こうとすると、投入口が容易に規定量以上広く開いて、簡単に引き抜くことができるようにする。更に、細断速度が速いと、ストップ信号から細断用カッターが停止するまでの惰性回転によって、引き込みが大きくなるので、安全性のために投入口から細断用カッターまでの距離を十分に確保する必要がある。
【００１５】
本発明は、このような新しい発想での設計方針により、文書細断機の紙葉類投入口における人損事故を確実に防止し、安全性を確保するようにするとともに、トラブルの事後処理を容易にすることのできる文書細断機の安全紙葉類投入口機構を具現化せんとするのが目的である。
【課題を解決するための手段】
【００１６】
特許を受けようとする第１発明は、紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構であって、当該紙葉類投入口機構は、基枠に挿入受板部とそれに続く案内受板部とその先に続くシャッター受板部とからなる投入受板体を固設するとともに、これに相対応するように上面揺動案内部材と可動シャッター部材とを装着することにより、開閉自在の投入口とそれに続く案内空間路と案内シャッター部とが形成するようになし、前記投入口を形成する上面揺動案内部材は、投入口が常開位置より開成する領域でのみ揺動自在に枢着するとともに、基枠に常開位置係止ストッパと付勢発条と開閉検知スイッチとを当該上面揺動案内部材に関わるように配設しておきり、当該常開位置係止ストッパにより投入口が常時所定の間隔に開口した状態になすとともに、当該付勢発条により投入口が開成する方向に揺動する際には所定の負荷がかかるようになし、更に、開閉検知スイッチにより投入口が規定間隔以上に開成したことを検知したとき、細断用カッターの回転を緊急停止するようにし、前記案内空間路と案内シャッター部とを形成する前記可動シャッター部材は、基枠又は上面揺動案内部材に回動自在に装着されており、当該可動シャッター部材の上部では前記案内受板部との間で大きい間隔を有しているが下方にいくにしたがって次第に狭い間隔となる案内空間路が構成されており、当該可動シャッター部材の下端部では自重によりシャッター受板部と近接し常時最小の設定間隔で開口した状態となっており、紙葉類が通過する際その厚さに対応して可動シャッター部材が回動して挟んだ状態で細断用カッター方向へ送り出す案内シャッター部が構成されているようにしたことを特徴とする文書細断機の安全紙葉類投入口機構である。
【００１７】
当該第１発明は、本願に係る文書細断機の安全紙葉類投入口機構の基本発明である。投入側から細断用カッター側へ向けて、紙葉類の投入口とそれに続く案内空間路と更に案内シャッター部との三機能構造に形成された文書細断機の安全紙葉類投入口機構である。
【００１８】
前記投入口は、挿入受板部と上面揺動案内部材とによって構成され、常開位置より開成する領域でのみ揺動自在に枢着するようになっていて、投入口が常時所定の間隔に開口した状態になっており、投入口が開成する方向に揺動する際には所定の負荷がかかるようになっており、投入口が規定間隔以上に開成したとき開閉検知スイッチが検知作動して細断用カッターの回転を緊急停止するように構成されている。そして投入口に手指が侵入しようとすると、当該投入口の開口幅が広がる方向に揺動し、そのかわり投入口の入口が規定量以上に開くと、それによって細断用カッターを確実に緊急停止させるように機能することが特徴である。
【００１９】
前記案内空間路は、案内受板部と可動シャッター部材とで構成されており、当該可動シャッター部材は回動自在に装着されており、当該可動シャッター部材の上部では大きい間隔を有しているが下方にいくにしたがって次第に狭い間隔となるように構成されている。当該案内空間路の機能は、侵入した紙葉類や異物が不用意に壊れないようにしながら、安全性のために投入口から細断用カッターまでの距離を十分に確保するのに役立っている。
【００２０】
前記案内シャッター部は、シャッター受板部と可動シャッター部材の下端部とで構成されており、平時は自重により最小の設定間隔に開口した状態となっており、紙葉類が通過する際、その厚さに対応して可動シャッター部材が紙葉類を挟んだ状態で細断用カッター方向へ送り出す。これによって、細断用カッター方向へ送り出す紙葉類をコントロールすることができるようにしたものである。
【００２１】
特許を受けようとする第２発明は、紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構において、当該紙葉類投入口機構は、基枠に挿入受板部とそれに続く案内受板部とその先に続くシャッター受板部とからなる投入受板体を固設するとともに、これに相対応するように上面揺動案内部材と可動シャッター部材とを装着することにより、開閉自在の投入口とそれに続く案内空間路と案内シャッター部とが形成するようになし、前記投入口を形成する上面揺動案内部材は、投入口が常開位置より開成する領域でのみ揺動自在に枢着するとともに、基枠に常開位置係止ストッパと付勢発条と開閉検知スイッチとを当該上面揺動案内部材に関わるように配設してあり、当該常開位置係止ストッパにより投入口が常時所定の間隔に開口した状態になすとともに、当該付勢発条により投入口が開成する方向に揺動する際には所定の負荷がかかるようになし、更に、開閉検知スイッチにより投入口が規定間隔以上に開成したことを検知し、作動することによって細断用カッターの回転を緊急停止するようにしたことを特徴とする第１発明に記載する文書細断機の安全紙葉類投入口機構である。
【００２２】
当該第２発明は、投入口の構成を主な特徴とする第１発明の従属項発明である。投入口は、挿入受板部と上面揺動案内部材とによって構成され、常開位置より開成する領域でのみ揺動自在に枢着するようになっていて、投入口が常時所定の間隔に開口した状態になっており、投入口が紙葉類や異物の投入により開成する方向に揺動する際には所定の負荷がかかるようになっている。そのかわり投入口が規定間隔以上に開成したときは、開閉検知スイッチが検知作動して、細断用カッターの回転を緊急停止するように構成されている。このように、投入口に手指が侵入しようとすると、当該投入口の開口幅が広がる方向に揺動するようにするのは、従来の発想と逆の発想である。本発明は、そのかわり投入口の入口が規定量以上に開くと、それによって細断用カッターの駆動を緊急停止させ、容易に引き抜くことができるようにして、安全性を確保するものである。
【００２３】
特許を受けようとする第３発明は、紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構において、当該紙葉類投入口機構は、基枠に略水平の挿入受板部とそれに続く傾斜した案内受板部とその先に続く傾斜を深めたシャッター受板部とからなる投入受板体を固設するとともに、これに相対応するように上面揺動案内部材と可動シャッター部材とを装着することにより、開閉自在の投入口とそれに続く案内空間路と案内シャッター部との移送方向の角度が変わるように形成したことを特徴とする請求項１に記載する文書細断機の安全紙葉類投入口機構である。
【００２４】
当該第３発明も第１発明の従属項発明である。それは固設する投入受板体を略水平の挿入受板部とそれに続く傾斜した案内受板部とその先に続く傾斜を深めたシャッター受板部とから形成し、これに相対応するように上面揺動案内部材と可動シャッター部材とを装着して、投入口とそれに続く案内空間路と案内シャッター部の角度が変わるように形成した点が特徴である。このように角度が変わることにより、引き込まれた紙葉類や異物が角度をかえながら確実に案内されて、細断用カッターへ誘導されるようにしたものである。特に、細断速度が速い場合には、細断用カッターの惰性回転が生じてストップ信号から細断用カッターが停止するまでの時間も紙葉類や異物が引き込まれてしまう（細断速度５m／minの場合約１３３ｍm引き込まれる）。そこで、引き込まれた紙葉類や異物が何度も角度をかえながら案内されるように構成にして、案内通過される時間を少しでも多くとるようにしたこと、万一手指などが引き込まれたとしても緊急停止するまでに細断用カッター部までは到達しないようにしたこと、紙葉類や異物が案内され通過中であることの検知とその通過位置などを確認するためである。即ち処理速度より安全性や確実性を優先するように設計したものである。
【００２５】
特許を受けようとする第４発明は、紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構において、当該紙葉類投入口機構は、基枠に略水平の挿入受板部とそれに続く傾斜する案内受板部とその先に続くシャッター受板部とからなる投入口受板体を固設するとともに、これに相対応するように上面揺動案内部材と可動シャッター部材とを装着することにより、開閉自在な投入口とそれに続く案内空間路と案内シャッター部とが形成するようになし、前記投入口を形成する上面揺動案内部材は、先端部に投入案内斜面を有する略水平の上面案内板部とその基部に形成された揺動脚部と前記上面案内板部に設けられた制御用支杆とから形成されており、投入口受板体の略水平の挿入受板部に略水平の上面案内板部が相対応するよう配設され、当該揺動より脚部の下部に設けた揺動用支点により揺動自在に枢着されており、略水平の挿入受板部と略水平の上面案内板部とで形成される投入口が開閉自在なるように構成されていて、投入口が常開位置より開成する領域でのみ揺動自在に枢着するとともに、基枠に常開位置係止ストッパと付勢発条と開閉検知スイッチとを当該上面揺動案内部材に関わるように配設してあり、当該常開位置係止ストッパに制御用支杆が係止することにより投入口が常時所定の間隔に開口した状態になすとともに、制御用支杆に装着された付勢発条により投入口が開成する方向に揺動する際には所定の負荷がかかるようになし、更に、投入口が規定間隔以上に開成すると制御用支杆が開閉検知スイッチを検知作動させて細断用カッターの回転を緊急停止するようにし、前記案内空間路と案内シャッター部とを形成する前記可動シャッター部材は、上面揺動案内部材に回動自在に装着されており、当該可動シャッター部材の上部では前記案内受板部との間で大きい間隔を有しているが下方にいくにしたがって次第に狭い間隔となる案内空間路が構成されており、当該可動シャッター部材の下端部では自重によりシャッター受板部と可動シャッター部材とが近接し常時最小設定間隔で開口する状態となるように構成されており、紙葉類が通過する際その厚さに対応して可動シャッター部材が回動して挟んだ状態で細断用カッターの方向に送り出す案内シャッター部が構成されていることを特徴とする文書細断機の安全紙葉類投入口機構である。
【００２６】
当該第４発明は、紙葉類の投入口とそれに続く案内空間路と案内シャッター部とを形成し、前記投入口から紙葉類を投入すると、投入口に続く案内空間路と案内シャッター部を経て回転する細断用カッターに送り、細断することのできる文書細断機の紙葉類投入口機構の実施態様発明である。投入口の入口が規定量以下のときは、開閉検知スイッチがONになっていて、紙葉類が適正量投入されると細断用カッターが回転駆動するように設定されている。しかるに、投入口の入口が規定量以上開く（紙葉類を許容量以上投入したり、または手指などが誤って投入されることにより、）と、開閉検知スイッチがOFFになって、細断用カッターを緊急停止させる。細断カッターには惰性回転力が働くので、急ブレーキをかけ瞬時に停止させるようにするのが望ましい。投入口の入口が規定量以上開き、開閉検知スイッチがOFF状態にあっても、細断用カッターの逆転ができ、投入口に詰まった紙葉類を引き出すことができるようにする。このように入り込まれた過剰な量の紙葉類や誤って挿入された手指は、無事案内空間路内に収まっており、損傷させることなく容易に引き抜くことができる。本発明は、このように投入口における不用意な進入事故があってもスムーズに事後処理をすることが出来る。
【発明を実施するための最良の形態】
【００２７】
本発明に係る文書細断機の安全紙葉類投入口機構について図示実施例に基づいて詳細に説明する。図１は、本発明に係る文書細断機の安全紙葉類投入口機構の平常時の一実施例を示す縦断構成図であり、図２は、図１に示す文書細断機の安全紙葉類投入口機構を用いて安全確認実験を行い異常時の状態を再現した一実施例を示す縦断構成図であり、図３は、本発明に係る文書細断機の安全紙葉類投入口機構の平常時の他実施例を示す縦断構成図であり、図４は、図２に示す文書細断機の安全紙葉類投入口機構を用いて安全確認実験を行い異常時の状態を再現した他実施例を示す縦断構成図である。また、図５は、従来の文書細断機の投入口の一先行例を示す縦断構成図であり、図６は、従来の文書細断機の投入口の他先行例を示す縦断構成図であり、図７は、従来の文書細断機の投入口を用いて安全確認実験を行い異常時の状態を示す縦断構成図である。また、図８は、文書細断機の安全紙葉類投入口機構を用いて安全確認実験を行う方法を示す縦断構成図である。
【００２８】
図１は、本発明に係る文書細断機の安全紙葉類投入口機構の一実施例であり、図３は、同じ他実施例である。これら本発明の基本構成は、紙葉類の投入口１とそれに続く案内空間路２と案内シャッター部３とで構成されており、前記投入口１から紙葉類を投入すると、投入口１に続く案内空間路２と案内シャッター部３を経て回転する細断用カッター４に送り、細断することのできるようにするものである。
【００２９】
当該紙葉類投入口機構は、図１、図３に示すように、基枠５に略水平の挿入受板部６aとそれに続く傾斜する案内受板部６ｂとその先に続くシャッター受板部６ｃとからなる投入口受板体６を固設するとともに、これに相対応するように上面揺動案内部材７と可動シャッター部材８とを装着することにより、開閉自在な投入口１とそれに続く案内空間路２と案内シャッター部３とが形成されている。図示実施例の場合、開閉自在の投入口１とそれに続く案内空間路２と案内シャッター部３との移送方向の角度が変わるように形成してある。具体的には図８に示すように挿入受板部６aは水平であり、続く案内受板部６ｂは４０度傾斜しており、その先に続くシャッター受板部６ｃは更に２０度傾斜するように形成されている。
【００３０】
投入口１を形成する上面揺動案内部材７は、先端部に投入案内斜面９を有する略水平の上面案内板部１０とその基部において縦向きに形成された揺動脚部１１と前記上面案内板部１０に設けられた制御用支杆１２とから形成されており、投入口受板体６の略水平の挿入受板部６aに略水平の上面案内板部１０が相対応するよう配設され、当該揺動脚部１１の下部に設けた揺動用支点１３により揺動自在に枢着されている。略水平の挿入受板部６aと略水平の上面案内板部１０とで形成される投入口１が開閉自在なるように構成されていて、投入口１が常開位置より開成する領域でのみ揺動自在に枢着されている。尚、図１、図２と図３、図４との実施例の相違は、投入口１を構成する略水平の挿入受板部６aと略水平の上面案内板部１０との相対応の仕方が、図１、図２の実施例の場合は少し水平状態で重合する部分を形成するのに対し、図３、図４の実施例の場合は、挿入受板部６aの折曲部と上面案内板部１０の折曲部とが相対応するように構成されている点が相違する。前者は、投入方向を水平方向に限定することにより作業者が意識的に押し込まなければ入らないようにし、その作業者の心理から誤って手指などが挿入いないようにしたものである。後者は、投入方向が水平方向から斜め方向まで広くして、挿入し易くするもので、半自動的な投入に向いているものである。以下、図１、図２、図３、図４における部材の説明番号が同一の場合は、同じ部材である。
【００３１】
他方、基枠５には、常開位置係止ストッパ１４と付勢発条１５と開閉検知スイッチ１６とを前記上面揺動案内部材７の制御用支杆１２に関わるように配設してある。まず、前記常開位置係止ストッパ１４は、基枠５に配設されており、制御用支杆１２が当該常開位置係止ストッパ１４に係止することにより投入口１が設計時に定めた常時所定の間隔に開口した状態になっている。図示実施例の場合、投入口１の所定した開口間隔を３〜５ｍｍに設定した。具体的には、最大細断枚数は機種によって異なるようにしたもので、小型パーソナルタイプで３ｍｍ以下、大型フロアタイプで５ｍｍ以下の間隔に開口するように設定した。
【００３２】
次に、付勢発条１５は、基枠５と制御用支杆１２に装着されたもので、当該付勢発条１５により投入口１が開成する方向に揺動する際には所定の負荷がかかるように配設されている。更に、開閉検知スイッチ１６は、基枠５に配設されているが、投入口１が規定間隔以上に開成するように上面揺動案内部材７が揺動すると、制御用支杆１２が当該開閉検知スイッチ１６をOFFに作動させて細断用カッター４の回転を緊急停止するようにした。なお、この際、細断用カッター４の回転速度によって、惰性回転が生じているので、ストップ信号から細断用カッターが停止するまでの時間も紙葉類や誤って挿入された手指が引き込まれてしまう。そこで、開閉検知スイッチ１６がOFFに作動したとき、細断用カッター４の回転に急ブレーキをかけて直ちに止まるようにするのが望ましい。
【００３３】
即ち、本発明の投入口１は、挿入受板部６aと上面揺動案内部材７とによって構成され、常開位置より開成する領域でのみ揺動自在に枢着するようになっていて、投入口１が常時所定の間隔に開口した状態になっており、投入口１が開成する方向に揺動する際には所定の負荷がかかるようになっており、投入口１が規定間隔以上に開成したとき開閉検知スイッチ１６により細断用カッター４の回転を緊急停止するように構成されているのである。
【００３４】
次に、前記案内空間路２と案内シャッター部３とを形成する前記可動シャッター部材８は、上面揺動案内部材７に回動自在に枢着８ａしている。当該可動シャッター部材８の上部では前記案内受板部６ｂとの間で大きい間隔を有しているが下方にいくにしたがって次第に狭い間隔となる案内空間路２が構成されている。この案内空間路２は、投入口１の開口間隔より大きく形成されており、引き込まれた紙葉類や誤って挿入された手指が不用意に損傷しないように構成されているとともに、引き抜きを容易に行うことができる。
【００３５】
更に、当該可動シャッター部材８の下端部では自重によりシャッター受板部６ｃと可動シャッター部材８とが近接し、常時最小設定間隔をもって開口する状態となるように構成されている。当該シャッターの常時最小設定間隔は、ネクタイやネックレス対策として定められるものであり、実施例では、０．７ｍｍに設定した。従って、紙葉類が通過する際その厚さに対応して可動シャッター部材８が回動して挟んだ状態で細断用カッター４の方向に送り出す案内シャッター部３が構成されている。尚、図中１７は、可動シャッター部材８に装着された紙有無センサであり、投入口１に投入された紙葉類を感知すると、自動的に細断用カッター４の駆動をスタートさせるためのものである。
【００３６】
本発明に係る文書細断機の安全紙葉類投入口機構は、上記のように構成されており、紙葉類の投入口１とそれに続く案内空間路２と案内シャッター部３とを形成し、前記投入口１から紙葉類を投入すると、投入口１に続く案内空間路２と案内シャッター部３を経て回転する細断用カッター４に送り、細断することのできるものである。当該文書細断機の安全紙葉類投入口機構は、投入口１の入口が規定量以下のときは、開閉検知スイッチ１６がＯＮになっていて、紙葉類が許容された適正量投入されると、細断用カッター４が回転駆動するように設定されている。しかるに、紙葉類を許容量以上投入したり、または手指などが誤って投入されるなどの原因により、投入口１の入口が規定量以上開くと、開閉検知スイッチ１６がＯＦＦになって、細断用カッター４を緊急停止させる。この際、細断カッター４には惰性回転力が働くので、急ブレーキをかけ瞬時に停止させるようにするのが望ましい。投入口１の入口が規定量以上開き、開閉検知スイッチ１６がOFF状態にあっても、細断用カッター４の逆転ができ、投入口１に詰まった紙葉類を引き出すことができるようにする。このように過剰な量の紙葉類や或いは誤って挿入された手指が引き込まれた場合でも、それらは無事案内空間路２内に収まっており、損傷させることなく容易に引き抜くことができる。本発明は、このように投入口１における不用意な進入事故があってもスムーズに事後処理をすることが出来るものである。
【００３７】
本発明者らは、図８に示すように文書細断機の投入口の安全性試験を実施して、その安全性を確認した。この投入口の安全性試験は、指を模したテストピースＰを作成し、投入口への指の誤挿入を想定し、下記の試験を実施することにより、人損事故の恐れのないことを確認するものである。
【００３８】
＜試験方法＞
（１）テストピースＰは、ＵＬ−１０２６／１０１２／１１２／１４９２により規定されたテストフィンガーＴＦ−１６０と同形状のものとする。
（２）テストピースＰ材質・硬度は、ＮＢＲ（ニトリゴム）Ｈｓ６５を使用する。
（３）紙種は、上質紙（６４g／m２）Ａ４とする。
（４）投入角度は、最も入り込み易い角度とする。
（５）細断用紙にテストピースＰを挟み込んで投入する。テストピースＰを挟み込む細断用紙の枚数は、上下に枚数が均等になるようにする。
（６）細断枚数は、２枚、および定格細断枚数、最大細断枚数として実施する。
＜判定＞
テストピースＰが細断用カッターに到達しないことを合格の判定基準とする。
テストピースＰが投入口に挟み込まれ際は、容易に引き抜けることを確認する。
【００３９】
図２は、図１に示す文書細断機の安全紙葉類投入口機構を用いて安全確認実験を行い異常時の状態を再現した一実施例を示す縦断構成図である。図２中で説明用に付した構成部材の番号は、図１と同一なので、ここでは説明を省略する。図２のように、テストピースＰが投入口１から挿入され、投入口１の入口が付勢発条１５の負荷に抗して規定量以上に開くと、制御用支杆１２が制御開閉検知スイッチ１６を押してＯＦＦとなし、細断用カッター４の回転を緊急停止させる。この際、テストピースＰは損傷することがなく、案内空間路２内に収まっている。この際、テストピースＰは、細断用カッターに到達していないし、投入口１に挟み込まれたテストピースＰは容易に引き抜くことができることを確認したので、人損事故を防止することができる。
【００４０】
図４は、図２に示す文書細断機の安全紙葉類投入口機構を用いて安全確認実験を行い異常時の状態を再現した他実施例を示す縦断構成図である。図４中で説明用に付した構成部材の番号は、図１と同一なので、ここでは説明を省略する。図４のように、テストピースＰが投入口１から挿入されると、投入口１の入口が付勢発条１５の負荷に抗して規定量以上に開き、制御用支杆１２が制御開閉検知スイッチ１６を押してＯＦＦとなし、細断用カッター４の回転を緊急停止させる。この際、テストピースＰは損傷することがなく、案内空間路２内に収まっている。この際、テストピースＰは細断用カッターに到達していないし、投入口１に挟み込まれたテストピースＰを容易に引き抜くことができることを確認した。従って、本実施例の場合にも、人損事故を防止することができる。
【図面の簡単な説明】
【００４１】
【図１】本発明に係る文書細断機の安全紙葉類投入口機構の平常時の一実施例を示す縦断構成図である。
【図２】図１に示す文書細断機の安全紙葉類投入口機構を用いて安全確認実験を行い異常時の状態を再現した一実施例を示す縦断構成図である。
【図３】本発明に係る文書細断機の安全紙葉類投入口機構の平常時の他実施例を示す縦断構成図である。
【図４】図２に示す文書細断機の安全紙葉類投入口機構を用いて安全確認実験を行い異常時の状態を再現した他実施例を示す縦断構成図である。
【図５】従来の文書細断機の投入口の一先行例を示す縦断構成図である。
【図６】従来の文書細断機の投入口の他先行例を示す縦断構成図である。
【図７】従来の文書細断機の投入口を用いて安全確認実験を行い異常時の状態を示す縦断構成図である。
【図８】文書細断機の安全紙葉類投入口機構を用いて安全確認実験を行う方法を示す縦断構成図である。
【符号の説明】
【００４２】
１：投入口
２：案内空間路
３：案内シャッター部
４：細断用カッター
５：基枠
６：投入口受板体
６ａ：挿入受板部
６ｂ：案内受板部
６ｃ：シャッター受板部
７：上面揺動案内部材
８：可動シャッター部材
８ａ：枢着
９：投入案内斜面
１０：上面案内板部
１１：揺動脚部
１２：制御用支杆
１３：揺動用支点
１４：常開位置係止ストッパ
１５：付勢発条
１６：開閉検知スイッチ
１７：紙有無センサ
Ａ：投入口
Ｂ：カッター
Ｃ：案内路
Ｄ：開口幅切り換え手段
Ｅ：安全シャッター機構
Ｆ：被細断物
Ｇ：開口部
Ｈ：最大開口幅規制体
Ｉ：シャッター部
Ｐ：テストピース
【図１】
2007229536.tif 000003
【図２】
2007229536.tif 000004
【図３】
2007229536.tif 000005
【図４】
2007229536.tif 000006
【図５】
2007229536.tif 000007
【図６】
2007229536.tif 000008
【図７】
2007229536.tif 000009
【図８】
2007229536.tif 000010